【手続補正書】
【提出日】平成20年2月14日(2008.2.14)
【手続補正１】
【補正対象書類名】明細書
【補正対象項目名】発明の名称
【補正方法】変更
【補正の内容】
【発明の名称】液晶表示基板検査方法
【手続補正２】
【補正対象書類名】明細書
【補正対象項目名】特許請求の範囲
【補正方法】変更
【補正の内容】
【特許請求の範囲】
【請求項１】
複数列のソース配線と複数行のゲート配線との交差部に対応して配置された複数の画素電極と、前記ソース配線および前記ゲート配線にそれぞれ検査用スイッチング素子を介して接続されるソース配線用検査配線およびゲート配線用検査配線とを備えた液晶表示基板に対して、検査時に所定のソース配線用検査信号および所定のゲート配線用検査信号の供給を行い前記検査用スイッチング素子をオンにして前記ソース配線用検査配線および前記ゲート配線用検査配線から前記ソース配線および前記ゲート配線にそれぞれ所定の電位の印加を行う液晶表示基板検査方法であって、
前記ゲート配線用検査配線は、前記複数行のゲート配線の内、（１）奇数行のゲート配線に接続される第１ゲート配線用検査配線、および（２）偶数行のゲート配線に接続される第２ゲート配線用検査配線であり、
前記供給される所定のゲート配線用検査信号は、（１）前記奇数行のゲート配線に対し前記第１ゲート配線用検査配線から供給される第１ゲート配線用検査信号、および（２）前記偶数行のゲート配線に対し前記第２ゲート配線用検査配線から供給される第２ゲート配線用検査信号であり、
前記複数の画素電極は、前記第１ゲート配線用検査信号または前記第２ゲート配線用検査信号によってオン／オフ状態を切り替えられるスイッチング素子をそれぞれ介して、前記複数列のソース配線の内の所定のソース配線に接続され、
前記スイッチング素子をオン状態とする期間は、（１）前記スイッチング素子をオン状態とするための電位Ｖｏｎを印加することにより、前記ゲート配線の電位が、前記スイッチング素子をオフ状態とするための電位Ｖｏｆｆから電位０．９×（Ｖｏｎ―Ｖｏｆｆ）＋Ｖｏｆｆとなるまでの第１の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから電位０．９×（Ｖｏｆｆ―Ｖｏｎ）＋Ｖｏｎとなるまでの第１の立ち下がり期間との和である期間Ｓ１以上であり、（１）前記電位Ｖｏｎを印加することにより、前記ゲート配線の電位が、前記電位Ｖｏｆｆから前記電位Ｖｏｎとなるまでの第２の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから前記電位Ｖｏｆｆとなるまでの第２の立ち下がり期間との和である期間Ｓ２未満である、液晶表示基板検査方法。
【請求項２】
前記第１ゲート配線用検査信号または前記第２ゲート配線用検査信号の内の、（１）何れか一方によってオン／オフ状態を切り替えられるスイッチング素子が、オン状態に切り替えられ、前記オン状態を継続させられた上でオフ状態に切り替えられ、（２）他方によってオン／オフ状態を切り替えられるスイッチング素子が、その後にオン状態に切り替えられるまでの期間は、前記オン状態を継続させられる期間の２倍以上の期間である請求項１記載の液晶表示基板検査方法。
【請求項３】
前記複数の画素電極の配置は、赤、緑、青の各色に対応した画素電極の、デルタ配列またはストライプ配列の何れかによって行われており、
前記第１ゲート配線用検査信号および前記第２ゲート配線用検査信号は、前記第１ゲート配線用検査信号によってオン／オフ状態を切り替えられるスイッチング素子と前記第２ゲート配線用検査信号によってオン／オフ状態を切り替えられるスイッチング素子とが交互にオン状態に切り替えられるように供給され、
前記ソース配線用検査信号は、前記第１ゲート配線用検査信号および前記第２ゲート配線用検査信号の供給に基づいて、赤、緑、青、黒、白の内の何れかの単色画面表示が行われるように供給される請求項１記載の液晶表示基板検査方法。
【請求項４】
前記複数の画素電極の配置は、赤、緑、青の各色に対応した画素電極の、デルタ配列またはストライプ配列の何れかによって行われており、
（１）前記第１ゲート配線用検査信号によってオン／オフ状態を切り替えられるスイッチング素子を、オン状態に切り替え、前記オン状態を所定の期間において継続させた上でオフ状態に切り替え、前記第２ゲート配線用検査信号によってオン／オフ状態を切り替えられるスイッチング素子を、前記所定の期間においてオフ状態とする動作１と、（２）前記第２ゲート配線用検査信号によってオン／オフ状態を切り替えられるスイッチング素子を、オン状態に切り替え、前記オン状態を前記所定の期間において継続させた上でオフ状態に切り替え、前記第１ゲート配線用検査信号によってオン／オフ状態を切り替えられるスイッチング素子を、前記所定の期間においてオフ状態とする動作２と、（３）前記第１ゲート配線用検査信号によってオン／オフ状態を切り替えられるスイッチング素子および前記第２ゲート配線用検査信号によってオン／オフ状態を切り替えられるスイッチング素子をともにオフ状態とする動作３を、動作１、動作２、動作３、動作２、動作１、動作３の順序で繰り返し、
前記ソース配線用検査信号を、前記順序での繰り返しに基づいて、赤、緑、青、黒、白の内の何れかの単色画面表示が行われるように供給する請求項１記載の液晶表示基板検査方法。
【請求項５】
前記ソース配線用検査信号は、黒色画面表示と白色画面表示とが交互に行われるように供給され、
前記第１ゲート配線用検査信号および前記第２ゲート配線用検査信号は、前記ソース配線用検査信号の供給に基づいて、前記第１ゲート配線用検査信号または前記第２ゲート配線用検査信号の内の、（１）何れか一方によってオン／オフ状態を切り替えられるスイッチング素子がオン状態に切り替えられているときには、他方によってオン／オフ状態を切り替えられるスイッチング素子がオフ状態に切り替えられ、（２）何れか一方によってオン／オフ状態を切り替えられるスイッチング素子がオフ状態に切り替えられているときには、他方によってオン／オフ状態を切り替えられるスイッチング素子がオン状態に切り替えられることにより、黒、白、黒、白、…、または白、黒、白、黒、…というフリッカー画面表示が行われるように供給される請求項１記載の液晶表示基板検査方法。
【請求項６】
前記第１ゲート配線用検査信号および前記第２ゲート配線用検査信号は、実質上２４Ｈｚ以上の周波数を有する請求項１記載の液晶表示基板検査方法。
【請求項７】
前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、実質上４１．６ｍｓ以下である請求項１記載の液晶表示基板検査方法。
【請求項８】
前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、前記液晶素子が前記オン状態の継続に基づく表示を継続する期間と実質上等しい請求項１記載の液晶表示基板検査方法。
【手続補正３】
【補正対象書類名】明細書
【補正対象項目名】０００１
【補正方法】変更
【補正の内容】
【０００１】
【発明の属する技術分野】
本発明は、液晶表示基板検査方法に関する。
【手続補正４】
【補正対象書類名】明細書
【補正対象項目名】００１４
【補正方法】変更
【補正の内容】
【００１４】
本発明は、上記従来のこのような課題を考慮し、たとえば、液晶表示装置の検査完了後における、各検査配線との接続を電気的にオープンにするための切断が不要な液晶表示基板検査方法を提供することを目的とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
【課題を解決しようとする手段】
第１の本発明は、複数列のソース配線と複数行のゲート配線との交差部に対応して配置された複数の画素電極と、前記ソース配線および前記ゲート配線にそれぞれ検査用スイッチング素子を介して接続されるソース配線用検査配線およびゲート配線用検査配線とを備えた液晶表示基板に対して、検査時に所定のソース配線用検査信号および所定のゲート配線用検査信号の供給を行い前記検査用スイッチング素子をオンにして前記ソース配線用検査配線および前記ゲート配線用検査配線から前記ソース配線および前記ゲート配線にそれぞれ所定の電位の印加を行う液晶表示基板検査方法であって、
前記ゲート配線用検査配線は、前記複数行のゲート配線の内、（１）奇数行のゲート配線に接続される第１ゲート配線用検査配線、および（２）偶数行のゲート配線に接続される第２ゲート配線用検査配線であり、
前記供給される所定のゲート配線用検査信号は、（１）前記奇数行のゲート配線に対し前記第１ゲート配線用検査配線から供給される第１ゲート配線用検査信号、および（２）前記偶数行のゲート配線に対し前記第２ゲート配線用検査配線から供給される第２ゲート配線用検査信号であり、
前記複数の画素電極は、前記第１ゲート配線用検査信号または前記第２ゲート配線用検査信号によってオン／オフ状態を切り替えられるスイッチング素子をそれぞれ介して、前記複数列のソース配線の内の所定のソース配線に接続され、
前記スイッチング素子をオン状態とする期間は、（１）前記スイッチング素子をオン状態とするための電位Ｖｏｎを印加することにより、前記ゲート配線の電位が、前記スイッチング素子をオフ状態とするための電位Ｖｏｆｆから電位０．９×（Ｖｏｎ―Ｖｏｆｆ）＋Ｖｏｆｆとなるまでの第１の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから電位０．９×（Ｖｏｆｆ―Ｖｏｎ）＋Ｖｏｎとなるまでの第１の立ち下がり期間との和である期間Ｓ１以上であり、（１）前記電位Ｖｏｎを印加することにより、前記ゲート配線の電位が、前記電位Ｖｏｆｆから前記電位Ｖｏｎとなるまでの第２の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから前記電位Ｖｏｆｆとなるまでの第２の立ち下がり期間との和である期間Ｓ２未満である液晶表示基板検査方法である。
【手続補正１６】
【補正対象書類名】明細書
【補正対象項目名】００２６
【補正方法】変更
【補正の内容】
【００２６】
第２の本発明は、前記第１ゲート配線用検査信号または前記第２ゲート配線用検査信号の内の、（１）何れか一方によってオン／オフ状態を切り替えられるスイッチング素子が、オン状態に切り替えられ、前記オン状態を継続させられた上でオフ状態に切り替えられ、（２）他方によってオン／オフ状態を切り替えられるスイッチング素子が、その後にオン状態に切り替えられるまでの期間は、前記オン状態を継続させられる期間の２倍以上の期間である第１の本発明の液晶表示基板検査方法である。
【手続補正１７】
【補正対象書類名】明細書
【補正対象項目名】００２７
【補正方法】変更
【補正の内容】
【００２７】
第３の本発明は、前記複数の画素電極の配置は、赤、緑、青の各色に対応した画素電極の、デルタ配列またはストライプ配列の何れかによって行われており、
前記第１ゲート配線用検査信号および前記第２ゲート配線用検査信号は、前記第１ゲート配線用検査信号によってオン／オフ状態を切り替えられるスイッチング素子と前記第２ゲート配線用検査信号によってオン／オフ状態を切り替えられるスイッチング素子とが交互にオン状態に切り替えられるように供給され、
前記ソース配線用検査信号は、前記第１ゲート配線用検査信号および前記第２ゲート配線用検査信号の供給に基づいて、赤、緑、青、黒、白の内の何れかの単色画面表示が行われるように供給される第１の本発明の液晶表示基板検査方法である。
【手続補正１８】
【補正対象書類名】明細書
【補正対象項目名】００２８
【補正方法】変更
【補正の内容】
【００２８】
第４の本発明は、前記複数の画素電極の配置は、赤、緑、青の各色に対応した画素電極の、デルタ配列またはストライプ配列の何れかによって行われており、
（１）前記第１ゲート配線用検査信号によってオン／オフ状態を切り替えられるスイッチング素子を、オン状態に切り替え、前記オン状態を所定の期間において継続させた上でオフ状態に切り替え、前記第２ゲート配線用検査信号によってオン／オフ状態を切り替えられるスイッチング素子を、前記所定の期間においてオフ状態とする動作１と、（２）前記第２ゲート配線用検査信号によってオン／オフ状態を切り替えられるスイッチング素子を、オン状態に切り替え、前記オン状態を前記所定の期間において継続させた上でオフ状態に切り替え、前記第１ゲート配線用検査信号によってオン／オフ状態を切り替えられるスイッチング素子を、前記所定の期間においてオフ状態とする動作２と、（３）前記第１ゲート配線用検査信号によってオン／オフ状態を切り替えられるスイッチング素子および前記第２ゲート配線用検査信号によってオン／オフ状態を切り替えられるスイッチング素子をともにオフ状態とする動作３を、動作１、動作２、動作３、動作２、動作１、動作３の順序で繰り返し、
前記ソース配線用検査信号を、前記順序での繰り返しに基づいて、赤、緑、青、黒、白の内の何れかの単色画面表示が行われるように供給する第１の本発明の液晶表示基板検査方法である。
【手続補正１９】
【補正対象書類名】明細書
【補正対象項目名】００２９
【補正方法】変更
【補正の内容】
【００２９】
第５の本発明は、前記ソース配線用検査信号は、黒色画面表示と白色画面表示とが交互に行われるように供給され、
前記第１ゲート配線用検査信号および前記第２ゲート配線用検査信号は、前記ソース配線用検査信号の供給に基づいて、前記第１ゲート配線用検査信号または前記第２ゲート配線用検査信号の内の、（１）何れか一方によってオン／オフ状態を切り替えられるスイッチング素子がオン状態に切り替えられているときには、他方によってオン／オフ状態を切り替えられるスイッチング素子がオフ状態に切り替えられ、（２）何れか一方によってオン／オフ状態を切り替えられるスイッチング素子がオフ状態に切り替えられているときには、他方によってオン／オフ状態を切り替えられるスイッチング素子がオン状態に切り替えられることにより、黒、白、黒、白、…、または白、黒、白、黒、…というフリッカー画面表示が行われるように供給される第１の本発明の液晶表示基板検査方法である。
【手続補正２０】
【補正対象書類名】明細書
【補正対象項目名】００３０
【補正方法】変更
【補正の内容】
【００３０】
第６の本発明は、前記第１ゲート配線用検査信号および前記第２ゲート配線用検査信号は、実質上２４Ｈｚ以上の周波数を有する第１の本発明の液晶表示基板検査方法である。
【手続補正２１】
【補正対象書類名】明細書
【補正対象項目名】００３１
【補正方法】変更
【補正の内容】
【００３１】
第７の本発明は、前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、実質上４１．６ｍｓ以下である第１の本発明の液晶表示基板検査方法である。
【手続補正２２】
【補正対象書類名】明細書
【補正対象項目名】００３２
【補正方法】変更
【補正の内容】
【００３２】
第８の本発明は、前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、前記液晶素子が前記オン状態の継続に基づく表示を継続する期間と実質上等しい第１の本発明の液晶表示基板検査方法である。
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３９
【補正方法】変更
【補正の内容】
【００３９】
（１）ゲート配線２（なお、図面上最上にある、画素電極に接続されていないゲート配線は、いわゆるダミー配線である）に係わる検査配線を、第１ゲート側検査配線Ｇ１、第２ゲート側検査配線Ｇ２の２本とし、（２）対向電極側検査配線Ｃと対向電極９とを接続し、（３）ソース側検査配線Ｓ１、Ｓ２、Ｓ３とソース配線３とを、検査用スイッチング素子５を介して接続し、（４ａ）前記第１ゲート側検査配線Ｇ１と前記奇数行のゲート配線２、（４ｂ）前記第２ゲート側検査配線Ｇ２と前記偶数行のゲート配線２を、検査用スイッチング素子５を介して接続し、（５）前記検査用スイッチング素子５に電位を与える検査配線Ｇ０を備える。なお、ゲート駆動回路６やソース駆動回路７は、後述のような生産工程における中間的な検査を行う際には、まだ実装されていない。
【手続補正２７】
【補正対象書類名】明細書
【補正対象項目名】００４９
【補正方法】変更
【補正の内容】
【００４９】
なお、信号発生手段１２は、本発明に関連する発明のスイッチ制御手段を含む手段に対応する。
【手続補正２８】
【補正対象書類名】明細書
【補正対象項目名】００５３
【補正方法】変更
【補正の内容】
【００５３】
Ｖｇ０において、各検査用スイッチング素子５を電気的に導通させるに十分な駆動電位をＶｏｎ＋α電位としている。また、Ｖｇ１、Ｖｇ２において、各スイッチング素子４を電気的に開閉させるに十分な駆動電位を、それぞれＶｏｎ電位、Ｖｏｆｆ電位としている。また、Ｖｓ１、Ｖｓ２、Ｖｓ３における、方形波のセンター電位をＶｓｃ電位、上下のピーク電位をそれぞれＶｓｃ＋β、Ｖｓｃ−β電位としている。また、Ｖｃにおける方形波のセンター電位をＶｃｃ電位、上下のピーク電位をそれぞれＶｃｃ＋γ、Ｖｃｃ−γ電位としている。なお、Ｖｓｃ電位とＶｃｃ電位の間には、Ｖｓｃ−（フィードスルー電位差）＝Ｖｃｃという関係式が成り立つ。ここに、フィードスルー電位差とは、ゲートパルスがオンの時に液晶容量および蓄積容量に充電された電荷が、スイッチング素子４のソースとゲートとの間の寄生容量の影響でゲートパルスがオフになった瞬間に、それぞれの容量に再分配されることにより発生する電位差をいう。
【手続補正２９】
【補正対象書類名】明細書
【補正対象項目名】００６１
【補正方法】変更
【補正の内容】
【００６１】
また、スイッチング素子４を第１ゲート側検査配線Ｇ１または第２ゲート側検査配線Ｇ２への印加電位によりオンとする期間τｂは、液晶表示装置内におけるゲート配線２の電位がＶｏｆｆ電位の状態から、第１ゲート側検査配線Ｇ１または第２ゲート側検査配線Ｇ２に、Ｖｏｎ電位を印加して、ゲート配線２の電位が０．９×（Ｖｏｎ−Ｖｏｆｆ）＋Ｖｏｆｆとなる時の立ち上がり期間とすることが望ましい。さらに、期間τｂは、（１）スイッチング素子４を通して画素電極１にソース配線３からのデータ信号を書き込むのに必要な期間と、（２）液晶表示装置内のゲート配線２の電位が、Ｖｏｎ電位の状態から、第１ゲート側検査配線Ｇ１または第２ゲート側検査配線Ｇ２に、Ｖｏｆｆ電位を印加してゲート配線２の電位が０．９×（Ｖｏｆｆ−Ｖｏｎ）＋Ｖｏｎとなる時の立ち下がり期間とを加算した期間以上とすることが望ましい。また、期間τｂは、（１）液晶表示装置内のゲート配線２の電位が、Ｖｏｆｆ電位の状態から、第１ゲート側検査配線Ｇ１、第２ゲート側検査配線Ｇ２に、Ｖｏｎ電位を印加して、ゲート配線２の電位がＶｏｎ電位となるときの立ち上がり期間と、（２）上記スイッチング素子４を通して画素電極１にソース配線３からのデータ信号を書き込むのに必要な期間と、（３）液晶表示装置内のゲート配線２の電位がＶｏｎ電位の状態から第１ゲート側検査配線Ｇ１または第２ゲート側検査配線Ｇ２にＶｏｆｆ電位を印加してゲート配線２の電位がＶｏｆｆとなるときの立ち下がり期間とを加算した期間未満とすることが望ましい。
【手続補正３０】
【補正対象書類名】明細書
【補正対象項目名】００６９
【補正方法】変更
【補正の内容】
【００６９】
このように、本発明に関連する発明は、たとえば、各列に赤、緑、青の各画素の画素電極がスイッチング素子を介してソース配線に接続され、前記スイッチング素子のゲートに電位を与える各ゲート配線群の奇数行の画素の色と偶数行の画素の色との組み合わせが同一な前記ソース配線のすべてに接続したソース側検査配線を前記画素群の３列ごとに接続された３本の配線で構成するとともに、奇数行の前記各ゲート配線に接続した第１ゲート側検査配線と、偶数行の前記各ゲート配線に接続した第２ゲート側検査配線と、前記各画素電極のすべてが液晶と挟んで対向するように設けられた対向電極に接続した対向電極側検査配線とを備え、前記ソース側検査配線と前記ソース配線との接続、前記第１ゲート側検査配線と前記奇数行のゲート配線との接続、前記第２ゲート側検査配線と前記偶数行のゲート配線との接続、前記対向電極側検査配線と前記対向電極との接続のうちいずれかの、前記ソース側検査配線と前記ソース配線、前記第１ゲート側検査配線と前記奇数行のゲート配線、前記第２ゲート側検査配線と前記偶数行のゲート配線、前記対向電極側検査配線と前記対向電極を検査用スイッチング素子を介して接続する構成とし、前記検査用スイッチング素子のゲートに電位を与える検査用ゲート配線を備えたことを特徴とする液晶表示装置である。これにおいて、液晶表示装置の完了前の検査にて簡易的に検査することができるという作用を有する。また、液晶表示装置の完了前の検査完了後に、第１ゲート側検査配線および第２ゲート側検査配線と各ゲート配線との電気接続、各ソース側検査配線と各ソース配線との電気接続、対向電極側配線と対向電極との電気接続のうちで、スイッチング素子を介して接続した構成とした部分につき、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【手続補正３１】
【補正対象書類名】明細書
【補正対象項目名】００７０
【補正方法】変更
【補正の内容】
【００７０】
また、本発明に関連する発明は、たとえば、スイッチング素子のゲートに電位を与える各ゲート配線群の奇数行の画素の色と偶数行の画素の色との組み合わせが同一なソース配線のすべてに、検査用スイッチング素子を介して接続したソース側検査配線を前記画素群の３列ごとに接続された３本の配線で構成するとともに、奇数行の前記各ゲート配線に接続した第１ゲート側検査配線と、偶数行の前記各ゲート配線に接続した第２ゲート側検査配線と、前記各画素電極のすべてが液晶と挟んで対向するように設けられた対向電極に接続した対向電極側検査配線とを備え、前記ソース側検査配線および前記第１ゲート側検査配線および前記第２ゲート側検査配線それぞれに設けられた前記検査用スイッチング素子のゲートに電位を与える検査用ゲート配線を備えたことを特徴とする前述の液晶表示装置である。これにおいて、液晶表示装置の完了前の検査にて簡易的に検査することができるという作用を有する。また、液晶表示装置の完了前の検査完了後に、第１ゲート側検査配線および第２ゲート側検査配線と各ゲート配線との電気接続を、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【手続補正３２】
【補正対象書類名】明細書
【補正対象項目名】００７１
【補正方法】変更
【補正の内容】
【００７１】
また、本発明に関連する発明は、たとえば、スイッチング素子のゲートに電位を与える各ゲート配線群の奇数行の画素の色と偶数行の画素の色との組み合わせが同一なソース配線のすべてに接続したソース側検査配線を前記画素群の３列ごとに接続された３本の配線で構成するとともに、奇数行の前記各ゲート配線に検査用スイッチング素子を介して接続した第１ゲート側検査配線と、偶数行の前記各ゲート配線に検査用スイッチング素子を介して接続した第２ゲート側検査配線と、前記各画素電極のすべてが液晶と挟んで対向するように設けられた対向電極に接続した対向電極側検査配線とを備え、前記ソース側検査配線に設けられた前記検査用スイッチング素子のゲートに電位を与える検査用ゲート配線を備えたことを特徴とする前述の液晶表示装置である。これにおいて、液晶表示装置の完了前の検査にて簡易的に検査することができるという作用を有する。また、液晶表示装置の完了前の検査完了後に、各ソース側検査配線と各ソース配線との電気接続を、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【手続補正３３】
【補正対象書類名】明細書
【補正対象項目名】００７２
【補正方法】変更
【補正の内容】
【００７２】
また、本発明に関連する発明は、たとえば、前記スイッチング素子のゲートに電位を与える各ゲート配線の列における奇数行の画素の色と偶数行の画素の色との組み合わせが同一な前記ソース配線のすべてに接続したソース側検査配線を前記組み合わせごとに設けるとともに、奇数行の前記各ゲート配線に検査用スイッチング素子を介して接続した第１ゲート側検査配線と、偶数行の前記各ゲート配線に検査用スイッチング素子を介して接続した第２ゲート側検査配線と、前記各画素電極のすべてが液晶と挟んで対向するように設けられた対向電極に接続した対向電極側検査配線とを備え、前記第１ゲート側検査配線および前記第２ゲート側検査配線それぞれに設けられた前記検査用スイッチング素子のゲートに電位を与える検査用ゲート配線を備えたことを特徴とする前述の液晶表示装置である。これにおいて、液晶表示装置の完了前の検査にて簡易的に検査することができるという作用を有する。また、液晶表示装置の完了前の検査完了後に、第１ゲート側検査配線および第２ゲート側検査配線と各ゲート配線との電気接続、各ソース側検査配線と各ソース配線との電気接続を、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【手続補正３４】
【補正対象書類名】明細書
【補正対象項目名】００７３
【補正方法】変更
【補正の内容】
【００７３】
また、本発明に関連する発明は、たとえば、画素配列がデルタ配列とストライプ配列とのいずれかである液晶表示装置であることを特徴とする前述の液晶表示装置である。これにおいて、画素配列がデルタ配列であるかストライプ配列であるかに関係なく、液晶表示装置の完了前の検査にて簡易的に検査することができるという作用を有する。
【手続補正３５】
【補正対象書類名】明細書
【補正対象項目名】００７４
【補正方法】変更
【補正の内容】
【００７４】
また、本発明に関連する発明は、たとえば、検査用ゲート配線には検査用スイッチング素子が電気的に導通させる電位を印加した状態にて、第１ゲート側検査配線および第２ゲート側検査配線に印加する駆動電位により、奇数行の画素と偶数行の画素とを分離して駆動させることを特徴とする前述の液晶表示装置の検査方法である。これにおいて、画素配列がデルタ配列であるかストライプ配列であるかに関係なく、液晶表示装置の完了前の検査にて簡易的に検査することができるという作用を有する。
【手続補正３６】
【補正対象書類名】明細書
【補正対象項目名】００７５
【補正方法】変更
【補正の内容】
【００７５】
また、本発明は、たとえば、第１ゲート側検査配線または第２ゲート側検査配線への印加電位によりスイッチング素子をオン状態とする所定の期間として、前記スイッチング素子をオフとする電位をＶｏｆｆ、前記スイッチング素子をオンとする電位をＶｏｎとしたとき、液晶表示装置内のゲート配線の電位がＶｏｆｆ電位の状態からＶｏｎ電位を印加して０．９×（Ｖｏｎ―Ｖｏｆｆ）＋Ｖｏｆｆとなる立ち上がり期間と、前記スイッチング素子を介して画素電極にソース配線からデータ信号を書き込むのに要する期間と、前記ゲート配線の電位がＶｏｎの状態からＶｏｆｆ電位を印加して０．９×（Ｖｏｆｆ―Ｖｏｎ）＋Ｖｏｎとなる立ち下がり期間とを加算した期間以上であり、かつ液晶表示装置内のゲート配線の電位がＶｏｆｆの状態からＶｏｎ電位を印加してＶｏｎとなる立ち上がり期間と、前記スイッチング素子を介して画素電極にソース配線からデータを書き込むのに要する期間と、液晶表示装置内のゲート配線の電位がＶｏｎの状態からＶｏｆｆ電位を印加してＶｏｆｆとなる立ち下がり期間とを加算した期間未満とするようにした前述の液晶表示装置の検査方法である。これにおいて、画素配列がデルタ配列であるかストライプ配列であるかに関係なく、液晶表示装置の完了前の検査にて、スイッチング素子の開閉に起因する不良、スイッチング素子の特性的不良に起因する不良の検査検出力を向上させ、液晶表示装置完成前の検査で液晶駆動回路形成時の駆動画面と比較して液晶表示装置の不良視認の相関性、一致性を高めるという作用を有する。
【手続補正３７】
【補正対象書類名】明細書
【補正対象項目名】００７８
【補正方法】変更
【補正の内容】
【００７８】
また、本発明は、たとえば、第１ゲート側検査配線への印加電位によりスイッチング素子をオフ状態から所定の期間オン状態としたのちオフ状態とし、その所定の期間中は前記第２ゲート側検査配線への印加電位により前記スイッチング素子をオフ状態とする動作を動作１とし、第２ゲート側検査配線への印加電位によりスイッチング素子をオフ状態から所定の期間オン状態としたのちオフ状態とし、その所定の期間中は前記第１ゲート側検査配線への印加電位により前記スイッチング素子をオフ状態とする動作を動作２とし、第１ゲート側検査配線と第２ゲート側検査配線への印加電位により前記スイッチング素子をいずれもオフ状態とする動作を動作３としたとき、動作１、動作２、動作３、動作２、動作１、動作３の順序の一連の動作を繰り返し行い、ソース側検査配線には、前記スイッチング素子が電気的に導通になるタイミングに合わせてデータ信号、および対向電極側検査配線には対向電極電位を印加して、白、黒、赤、緑、および青色のカラー単色画面を表示させて検査を行うことを特徴とする前述の液晶表示装置の検査方法である。これにおいて、画素配列がデルタ配列であるかストライプ配列であるかに関係なく、液晶表示装置の完了前の検査にて、白、黒、赤、緑、青のカラー単色画面を表示させて、簡易的に液晶表示装置の検査ができるという作用を有し、かつスイッチング素子の開閉に起因する不良、スイッチング素子の特性的不良に起因する不良、各画素構成および前記各配線等のパターンに起因する不良の検査検出力を向上させ、液晶表示装置完成前の検査で液晶駆動回路形成時の駆動画面と比較して液晶表示装置の不良視認の相関性、一致性を高めるという作用を有する。
【手続補正３８】
【補正対象書類名】明細書
【補正対象項目名】００７９
【補正方法】変更
【補正の内容】
【００７９】
また、本発明は、たとえば、各ソース側検査配線に、画素に赤、緑、青を表示させる第１のデータ信号と、画素に黒を表示させる第２のデータ信号とを選択的に印加し、第１ゲート側検査配線および第２ゲート側検査配線への印加電位によって、ソース側検査配線に第１のデータ信号と第２のデータ信号との一方が印加されているときに、奇数行と偶数行との一方のスイッチング素子をオン状態とするともに他方のスイッチング素子をオフ状態としてその状態を所定時間だけ維持させ、かつソース側検査配線に第１のデータ信号と第２のデータ信号との他方が印加されているときに、奇数行と偶数行との他方のスイッチング素子をオン状態にするとともに、前記一方のスイッチング素子をオフ状態としてその状態を所定時間だけ維持させて、ゲート１ライン毎に黒、白、黒、白、…、または白、黒、白、黒、…というフリッカー画面を表示させて検査を行うことを特徴とする前述の液晶表示装置の検査方法である。これにおいて、画素配列がデルタ配列であるかストライプ配列であるかに関係なく、液晶表示装置の完了前の検査にて、ゲート１ライン毎に黒、白、黒、白、…または、白、黒、白、黒、…というフリッカー画面の表示を可能とし、液晶表示装置完成前の検査にて、簡易的にフリッカーレベルを評価判断することができるという作用を有する。
【手続補正３９】
【補正対象書類名】明細書
【補正対象項目名】００８３
【補正方法】変更
【補正の内容】
【００８３】
また、本発明に関連する発明は、たとえば、液晶表示装置の各配線および各検査配線の抵抗および容量により生じる遅延を解消するために、スイッチング素子のオンオフ動作を司る目的で第１ゲート側検査配線および第２ゲート側検査配線に印加する駆動電位と、画素電極に書き込むデータ信号とを時間的に遅らせるかまたは早めることを特徴とする前述の液晶表示装置の検査方法である。これにおいて、液晶表示装置完成前の検査でソース配線からのデータ信号をスイッチング素子を通して画素電極に書き込む時、前記スイッチング素子のゲートしきい値に対してマージンを保たせて、ソース配線からのデータ信号を前記画素電極に書き込む動作を適切かつ確実に行う作用を有する。
【手続補正４０】
【補正対象書類名】明細書
【補正対象項目名】００８４
【補正方法】変更
【補正の内容】
【００８４】
また、本発明に関連する発明は、たとえば、各ソース側検査配線、第１ゲート側検査配線、第２ゲート側検査配線、前記対向電極側検査配線、および検査用ゲート配線へ、前述の液晶表示装置の検査方法を可能にした信号発生手段を設けたことを特徴とする液晶表示装置の検査装置である。これにおいて、液晶表示装置完成前の検査で、簡易的に液晶表示装置を検査することができるという作用を有する。
【手続補正４１】
【補正対象書類名】明細書
【補正対象項目名】００８５
【補正方法】変更
【補正の内容】
【００８５】
また、本発明に関連する発明は、たとえば、検査完了後、液晶駆動回路形成時での液晶表示装置を動作させて画像を表示するうえで、検査用ゲート配線には検査用スイッチング素子が電気的に導通しない電位が印加させるような構成を備えたことを特徴とする前述の液晶表示装置である。これにおいて、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有する。
【手続補正４２】
【補正対象書類名】明細書
【補正対象項目名】００８６
【補正方法】変更
【補正の内容】
【００８６】
また、本発明に関連する発明は、たとえば、検査完了後、第１ゲート側検査配線および第２ゲート側検査配線と各ゲート配線との接続、対向電極側配線と対向電極との接続のうち、液晶駆動回路形成時での液晶表示装置の通常動作に必要でない電気接続をオープンにし、液晶駆動回路形成時での液晶表示装置を動作させて画像を表示するうえで、検査用ゲート配線には検査用スイッチング素子が電気的に導通しない電位が印加させるような構成を備えたことを特徴とする前述の液晶表示装置である。これにおいて、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有する。
【手続補正４３】
【補正対象書類名】明細書
【補正対象項目名】００８７
【補正方法】変更
【補正の内容】
【００８７】
また、本発明に関連する発明は、たとえば、検査完了後、各ソース側検査配線と各ソース配線との接続、対向電極側配線と対向電極との接続のうち、液晶駆動回路形成時での液晶表示装置の通常動作に必要でない電気接続をオープンにし、液晶駆動回路形成時での液晶表示装置を動作させて画像を表示するうえで、検査用ゲート配線には検査用スイッチング素子が電気的に導通しない電位が印加させるような構成を備えたことを特徴とする前述の液晶表示装置である。これにおいて、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有する。
【手続補正４４】
【補正対象書類名】明細書
【補正対象項目名】００８８
【補正方法】変更
【補正の内容】
【００８８】
また、本発明に関連する発明は、たとえば、複数列のソース配線と複数行のゲート配線との交差部に対応して配置された複数の画素電極と、前記複数の画素電極に対向する対向電極と、前記複数の画素電極と前記対向電極との間に狭持される複数の液晶素子と、前記ゲート配線に設けられた接続状態を切り替えるためのゲート配線用スイッチ手段と、前記ゲート配線用スイッチ手段を介して、前記複数行のゲート配線の内、（１）奇数行のゲート配線に接続される第１ゲート配線用検査配線、および（２）偶数行のゲート配線に接続される第２ゲート配線用検査配線とを備え、前記ゲート配線用スイッチ手段は、液晶表示基板の検査を行うときに、外部からの所定の作用に基づいて、前記接続状態のオン／オフ状態を切り替えられることを特徴とする液晶表示基板である。
【手続補正４５】
【補正対象書類名】明細書
【補正対象項目名】００８９
【補正方法】変更
【補正の内容】
【００８９】
また、本発明に関連する発明は、たとえば、複数列のソース配線と複数行のゲート配線との交差部に対応して配置された複数の液晶素子と、前記ゲート配線に設けられた接続状態を切り替えるためのゲート配線用スイッチ手段と、前記ゲート配線用スイッチ手段を介して、前記複数行のゲート配線の内、（１）奇数行のゲート配線に接続される第１ゲート配線用検査配線、および（２）偶数行のゲート配線に接続される第２ゲート配線用検査配線とを備えたことを特徴とする液晶表示基板に対する検査を行うための液晶表示基板検査装置であって、前記ゲート配線用スイッチ手段の前記接続状態のオン／オフ状態の切替を制御するためのスイッチ制御手段を備えたことを特徴とする液晶表示基板検査装置である。
【手続補正４６】
【補正対象書類名】明細書
【補正対象項目名】００９２
【補正方法】変更
【補正の内容】
【００９２】
なお、本発明に関連する発明のソース配線用スイッチ手段は、上述された本実施の形態においては、所定の電位の印加によってオン状態となる各ソース配線ごとに設けられた複数の検査用スイッチング素子５であった。しかし、本発明に関連する発明のソース配線用スイッチ手段は、これに限らず、たとえば、脱着自在な所定の治具をはめ込み装着することによりオン状態となるような電気的接続切替用部材などであってもよい。
【手続補正４７】
【補正対象書類名】明細書
【補正対象項目名】００９３
【補正方法】変更
【補正の内容】
【００９３】
また、本発明に関連する発明のゲート配線用スイッチ手段は、上述された本実施の形態においては、所定の電位の印加によってオン状態となる各ゲート配線ごとに設けられた複数の検査用スイッチング素子５であった。しかし、本発明に関連する発明のゲート配線用スイッチ手段は、これに限らず、たとえば、上述のような電気的接続切替用部材などであってもよい。
【手続補正４８】
【補正対象書類名】明細書
【補正対象項目名】００９６
【補正方法】変更
【補正の内容】
【００９６】
また、本発明のソース配線用検査配線は、上述された本実施の形態においては、赤画素電極１ｒが接続されているソース配線３に接続されるソース側検査配線Ｓ１、緑画素電極１ｇが接続されているソース配線３に接続されるソース側検査配線Ｓ２、および青画素電極１ｂが接続されているソース配線３に接続されるソース側検査配線Ｓ３であった。しかし、本発明のソース配線用検査配線は、これに限らず、たとえば、（１）全部のソース配線に一括して接続されていてもよいし、（２）一部のソース配線にのみ接続されていてもよい。
【手続補正４９】
【補正対象書類名】明細書
【補正対象項目名】００９７
【補正方法】変更
【補正の内容】
【００９７】
また、本発明のゲート配線用検査配線は、上述された本実施の形態においては、奇数行のゲート配線２に接続された第１ゲート側検査配線Ｇ１、および偶数行のゲート配線２に接続された第２ゲート側検査配線Ｇ２であった。しかし、本発明のゲート配線用検査配線は、これに限らず、たとえば、（１）全部のゲート配線に一括して接続されていてもよいし、（２）一部のゲート配線にのみ接続されていてもよい。
【手続補正５０】
【補正対象書類名】明細書
【補正対象項目名】００９８
【補正方法】変更
【補正の内容】
【００９８】
本発明に関連する発明は、上述した本発明に関連する発明の液晶表示基板検査装置の全部または一部の手段（または、装置、素子、回路、部など）の機能をコンピュータにより実行させるためのプログラムであって、コンピュータと協働して動作するプログラムである。なお、本発明に関連する発明のコンピュータは、ＣＰＵなどの純然たるハードウェアに限らず、ファームウェアやＯＳ、さらに周辺機器を含むものであっても良い。
【手続補正５１】
【補正対象書類名】明細書
【補正対象項目名】００９９
【補正方法】変更
【補正の内容】
【００９９】
本発明に関連する発明は、上述した本発明の液晶表示基板検査方法の全部または一部のステップ（または、工程、動作、作用など）の動作をコンピュータにより実行させるためのプログラムであって、コンピュータと協働して動作するプログラムである。
【手続補正５２】
【補正対象書類名】明細書
【補正対象項目名】０１００
【補正方法】変更
【補正の内容】
【０１００】
なお、本発明に関連する発明の一部の手段（または、装置、素子、回路、部など）、本発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
【手続補正５３】
【補正対象書類名】明細書
【補正対象項目名】０１０１
【補正方法】変更
【補正の内容】
【０１０１】
また、本発明に関連する発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【手続補正５４】
【補正対象書類名】明細書
【補正対象項目名】０１０２
【補正方法】変更
【補正の内容】
【０１０２】
また、本発明に関連する発明のプログラムを記録した、コンピュータに読みとり可能な記録媒体も本発明に関連する発明に含まれる。また、本発明に関連する発明のプログラムの一利用形態は、コンピュータにより読み取り可能な記録媒体に記録され、コンピュータと協働して動作する態様であっても良い。また、本発明に関連する発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【手続補正５５】
【補正対象書類名】明細書
【補正対象項目名】０１０５
【補正方法】変更
【補正の内容】
【０１０５】
つまり、本発明の液晶表示装置の検査方法によれば、たとえば、奇数行のスイッチング素子のゲート配線に検査用のスイッチング素子を介して接続した第１ゲート側検査配線と、偶数行のスイッチング素子のゲート配線に検査用のスイッチング素子を介して接続した第２ゲート側検査配線と、ソース配線に検査用のスイッチング素子を介して接続した３本のソース側検査配線と、対向電極に接続した対向電極側検査配線を設け、奇数行の画素と偶数行の画素とを分離して駆動させることにより、画素配列がストライプ配列、デルタ配列に関係なく、簡易画像検査が実現できる。また、画素電極の配置がデルタ配列であるかストライプ配列であるかに関係なく、スイッチング素子の開閉に起因する不良、およびスイッチング素子の特性的不良に関する不良、かつ画素電位の保持特性のばらつきによる不良、各画素構成および前記各配線等のパターンに起因する不良を検出することができ、液晶駆動回路形成時での駆動画面との相関性を高めた検査をすることができる。
本発明に関連する第１の発明は、複数列のソース配線と複数行のゲート配線との交差部に対応して配置された複数の画素電極と、
前記複数の画素電極に対向する対向電極と、
前記複数の画素電極と前記対向電極との間に狭持される複数の液晶素子と、
前記ソース配線に設けられた接続状態を切り替えるためのソース配線用スイッチ手段と、
前記ソース配線用スイッチ手段を介して前記ソース配線に接続されるソース配線用検査配線と、
前記ゲート配線に設けられた接続状態を切り替えるためのゲート配線用スイッチ手段と、
前記ゲート配線用スイッチ手段を介して前記ゲート配線に接続されるゲート配線用検査配線とを備え、
前記ソース配線用スイッチ手段および前記ゲート配線用スイッチ手段は、液晶表示基板の検査を行うときに、外部からの所定の作用に基づいて、前記接続状態のオン／オフ状態を切り替えられる液晶表示基板である。
本発明に関連する第２の発明は、前記ソース配線用スイッチ手段は、所定の電位の印加によってオン状態となる、各ソース配線ごとに設けられた複数の検査用スイッチング素子であり、
前記ゲート配線用スイッチ手段は、所定の電位の印加によってオン状態となる、各ゲート配線ごとに設けられた複数の検査用スイッチング素子であり、
前記各ソース配線ごとに設けられた複数の検査用スイッチング素子、および前記各ゲート配線ごとに設けられた複数の検査用スイッチング素子に連結された、前記所定の電位の印加を行うための検査配線を備え、
前記検査を行うときには、前記検査配線に対する前記所定の電位の印加が行われる本発明に関連する第１の発明の液晶表示基板である。
本発明に関連する第３の発明は、前記複数の画素電極の配置は、デルタ配列またはストライプ配列の何れかによって行われている本発明に関連する第２の発明の液晶表示基板である。
本発明に関連する第４の発明は、前記検査を行わないときには、前記検査配線に対する、前記各ソース配線ごとに設けられた複数の検査用スイッチング素子、および前記各ゲート配線ごとに設けられた複数の検査用スイッチング素子をオフ状態にするための電位の印加が行われる本発明に関連する第２の発明の液晶表示基板である。
本発明に関連する第５の発明は、本発明に関連する第１〜第４のいずれかの発明の液晶表示装置を用いた情報端末装置である。
本発明に関連する第６の発明は、複数列のソース配線と複数行のゲート配線との交差部に対応して配置された複数の液晶素子と、前記ソース配線に設けられた接続状態を切り替えるためのソース配線用スイッチ手段と、前記ソース配線用スイッチ手段を介して前記ソース配線に接続されるソース配線用検査配線と、前記ゲート配線に設けられた接続状態を切り替えるためのゲート配線用スイッチ手段と、前記ゲート配線用スイッチ手段を介して前記ゲート配線に接続されるゲート配線用検査配線とを備えた液晶表示基板に対する検査を行うための液晶表示基板検査装置であって、
前記ソース配線用スイッチ手段および前記ゲート配線用スイッチ手段の前記接続状態のオン／オフ状態の切替を制御するためのスイッチ制御手段を備えた液晶表示基板検査装置である。
本発明に関連する第７の発明は、前記ソース配線用スイッチ手段は、所定の電位の印加によってオン状態となる、各ソース配線ごとに設けられた複数の検査用スイッチング素子であり、
前記ゲート配線用スイッチ手段は、所定の電位の印加によってオン状態となる、各ゲート配線ごとに設けられた複数の検査用スイッチング素子であり、
前記液晶表示基板は、前記各ソース配線ごとに設けられた複数の検査用スイッチング素子、および前記各ゲート配線ごとに設けられた複数の検査用スイッチング素子に連結された、前記所定の電位の印加を行うための検査配線を備え、
前記スイッチ制御手段は、前記検査を行うときに、前記検査配線に対する前記所定の電位の印加を行うための電位印加回路である本発明に関連する第６の発明の液晶表示基板検査装置である。
本発明に関連する第８の発明は、複数列のソース配線と複数行のゲート配線との交差部に対応して配置された複数の液晶素子と、前記ソース配線に設けられた接続状態を切り替えるためのソース配線用スイッチ手段と、前記ソース配線用スイッチ手段を介して前記ソース配線に接続されるソース配線用検査配線と、前記ゲート配線に設けられた接続状態を切り替えるためのゲート配線用スイッチ手段と、前記ゲート配線用スイッチ手段を介して前記ゲート配線に接続されるゲート配線用検査配線とを備えた液晶表示基板に対する検査を行うための液晶表示基板検査方法であって、
（１）前記ソース配線用スイッチ手段の前記接続状態をオン状態に切り替え、（２）前記ゲート配線用スイッチ手段の前記接続状態をオン状態に切り替え、（３）前記ソース配線に対し前記ソース配線用検査配線から所定のソース配線用検査信号の供給を行い、（４）前記ゲート配線に対し前記ゲート配線用検査配線から所定のゲート配線用検査信号の供給を行う液晶表示基板検査方法である。
本発明に関連する第９の発明は、前記ソース配線用スイッチ手段は、所定の電位の印加によってオン状態となる、各ソース配線ごとに設けられた複数の検査用スイッチング素子であり、
前記ゲート配線用スイッチ手段は、所定の電位の印加によってオン状態となる、各ゲート配線ごとに設けられた複数の検査用スイッチング素子であり、
前記液晶表示基板は、前記各ソース配線ごとに設けられた複数の検査用スイッチング素子、および前記各ゲート配線ごとに設けられた複数の検査用スイッチング素子に連結された、前記所定の電位の印加を行うための検査配線を備え、
前記検査を行うときには、前記検査配線に対する前記所定の電位の印加を行う本発明に関連する第８の発明の液晶表示基板検査方法である。
本発明に関連する第１０の発明は、前記ゲート配線用検査配線は、前記複数行のゲート配線の内、（１）奇数行のゲート配線に接続される第１ゲート配線用検査配線、および（２）偶数行のゲート配線に接続される第２ゲート配線用検査配線であり、
前記供給される所定のゲート配線用検査信号は、（１）前記奇数行のゲート配線に対し前記第１ゲート配線用検査配線から供給される第１ゲート配線用検査信号、および（２）前記偶数行のゲート配線に対し前記第２ゲート配線用検査配線から供給される第２ゲート配線用検査信号であり、
前記複数の画素電極は、前記第１ゲート配線用検査信号または前記第２ゲート配線用検査信号によってオン／オフ状態を切り替えられるスイッチング素子をそれぞれ介して、前記複数列のソース配線の内の所定のソース配線に接続されている本発明に関連する第９の発明の液晶表示基板検査方法である。
本発明に関連する第１１の発明は、前記ゲート配線用検査信号の供給および前記ソース配線用検査信号の供給は、前記液晶表示基板における前記検査配線を含む配線の抵抗および容量を考慮して行われる本発明に関連する第１０の発明の液晶表示基板検査方法である。
本発明に関連する第１２の発明は、本発明に関連する第６の発明の液晶表示基板検査装置の、前記ソース配線用スイッチ手段および前記ゲート配線用スイッチ手段の前記接続状態のオン／オフ状態の切替を制御するためのスイッチ制御手段の全部または一部としてコンピュータを機能させるためのプログラムである。
本発明に関連する第１３発明は、本発明に関連する第８の発明の液晶表示の制御方法の、（１）前記ソース配線用スイッチ手段の前記接続状態をオン状態に切り替え、（２）前記ゲート配線用スイッチ手段の前記接続状態をオン状態に切り替え、（３）前記ソース配線に対し前記ソース配線用検査配線から所定のソース配線用検査信号の供給を行い、（４）前記ゲート配線に対し前記ゲート配線用検査配線から所定のゲート配線用検査信号の供給を行うステップの全部または一部をコンピュータに実行させるためのプログラムである。